(57)【要約】【課題】本発明は、家畜の種類に対応でき、夏季の暑さ対策に有効な畜舎用換気送風システムを提供することを目的とするものである。【解決手段】畜舎１の一方の壁面に換気扇３と、換気扇３を設置した反対側の壁面に吸込口４を設け、換気扇３及び吸込口４の最下部よりもさらに下方において、他方の壁面から一方の壁面に床面と水平で空気を導く送風機５〜７を備え、送風機５〜７の給気口及び排気口の下端を畜舎１内の家畜２の頭の高さと同一または頭の高さよりも高い位置に設け、間欠送風を行う畜舎用換気送風システム。【選択図】図１
2017181013.tif 000002
【特許請求の範囲】
【請求項１】
畜舎の一方の壁面に設けられ換気口を有する換気扇と、
前記一方の壁面に対抗する他方の壁面に設けられた吸込口と、
前記換気口および前記吸込口の最下部よりもさらに下方に設けられ、前記他方の壁面から前記一方の壁面に空気を導く送風機と、を備え、
前記送風機の給気口及び排気口の下端を前記畜舎内の家畜の頭の高さと同一または頭の高さよりも高い位置に設け、
前記送風機は間欠に送風することを特徴とする畜舎用換気送風システム。
【請求項２】
前記送風機は、
畜舎内の温度が、所定の温度以上のときに、風速３ｍ／ｓを越える気流で間欠に送風することを特徴とする請求項１に記載の畜舎用換気送風システム。
【請求項３】
畜舎の一方の壁面に設けられ換気口を有する換気扇と、
前記一方の壁面に対抗する他方の壁面に設けられた吸込口と、
前記畜舎の内の前記換気扇と前記吸込口との間で、上方部分を塞ぎ、且つ下方部分を開放するように設置した、１つもしくは複数の半仕切り板と、
下方部分の開放された面積を可変できるように前記半仕切り板を上下させる昇降部と、を設け、
前記畜舎内の風速を間欠に送風することを特徴とする畜舎用換気送風システム。
【発明の詳細な説明】
【技術分野】
【０００１】
本発明は、畜舎用換気送風システムに関するものである。
【背景技術】
【０００２】
従来、この種の畜舎に用いられる畜舎用換気については、例えば特許文献１のような換気装置や、特許文献２のような畜舎換気方法が考えられている。
【０００３】
特許文献１の換気装置においては、図７に示すように、畜舎１０１内は、畜舎の側面から見ると一般的に長方形になっており、その短辺側の壁面に、畜舎内の空気を外部に送風するファン１０２が複数台設置されている。ファン１０２が設置されている壁面とは反対側壁面には、畜舎１０１内に外気を供給するための外気吸込口１０３が設けられている。畜舎１０１内には、複数の温度センサー１０４ａ〜ｃが備えられており、この温度センサー１０４で検知された温度が高い場合には、換気扇１０２の回転数を上げ、検知された温度が低い場合には、換気扇１０２の回転数を下げるものが開示されている。
【０００４】
また、引用文献２には、畜舎１０１内に複数の送風ファンを設置し、同時に運転させることにより、１つの送風ファンの近傍に滞留する畜舎内空気を、次の送風ファンへ送り、次の送風ファンは畜舎の外部に送風する畜舎の換気方法が開示されている。
【先行技術文献】
【特許文献】
【０００５】
【特許文献１】特開２００６−１７４７９１号公報
【特許文献２】特開平３―１９１２４２号公報
【発明の概要】
【発明が解決しようとする課題】
【０００６】
上記従来例では、家畜の飼育に適正な畜舎内風速を得るために、非常に多くの換気扇を設置する必要があり、設備が多くなるという問題点を有していた。
【０００７】
例えば、家畜が鶏（ブイロラー）である場合、飼育管理として、鶏の体感温度は、生後１〜１４日令では、２６〜３２℃で気流は無し、１５〜３５日令では、１９〜２６℃で気流の風速は１ｍ／ｓ以上、３６日令以上では、１７〜１８℃で気流は風速１ｍ／ｓ以上で飼育する必要があることが一般的に知られている。特に、成長した鶏である３６日令〜出荷まで（約５０日令）は暑さに弱いため、畜舎内温度が高い場合は、鶏の体感温度を下げるために風速３ｍ／ｓの気流を発生させなければならない。一般的な鶏用の畜舎（敷地が１０×４５ｍの約１５０坪で、平均高さ３ｍ）で計算すると、畜舎内で気流の３ｍ／ｓを得るためには、５４００ｍ3／ｍｉｎの風量が必要であり、一般的な３００ｍ3／ｍｉｎの換気扇に換算すると１８台必要になる。
【０００８】
一方、成長した鶏に対しては、畜舎内温度が適温であれば、酸素、二酸化炭素、アンモニアなどの臭気を含め、最適な空気環境を得るために、換気回数３０回／ｈを行う必要があり、上記の一般的な鶏用の畜舎で必要な最低換気量は、６７５ｍ3／ｍｉｎである。すなわち、最低換気量で考えると、上記風速３ｍ／ｓを得るための換気扇の台数と比較すると、１／８の台数（２台程度）になる。
【０００９】
また、換気扇の設置面積よりも、鶏用の畜舎内の断面積が広いため、畜舎内での風速のバラツキが大きくなるという問題点を有していた。また、雛の段階や冬季では畜舎内を暖房する必要があるが、換気扇の台数が必要以上に多くなることによって、換気扇が運転していない状態であっても、換気扇の開口部の隙間から自然換気されてしまい、必要以上の暖房を行わなければならないという問題点を有していた。
【００１０】
そこで本発明では、畜舎内での最低換気量を維持し、かつ、家畜に最適な気流を与えることができる畜舎用換気送風システムを提供することを目的とする。
【課題を解決するための手段】
【００１１】
そして、この目的を達成するために、本発明は、畜舎の一方の壁面に設けられ換気口を有する換気扇と、前記一方の壁面に対抗する他方の壁面に設けられた吸込口と、前記換気口および前記吸込口の最下部よりもさらに下方に設けられ、前記他方の壁面から前記一方の壁面に空気を導く送風機と、を備え、前記送風機の給気口及び排気口の下端を前記畜舎内の家畜の頭の高さと同一または頭の高さよりも高い位置に設け、前記送風機は間欠に送風することにより所期の目的を達成するものである。
【００１２】
また、本発明は、畜舎の一方の壁面に設けられ換気口を有する換気扇と、前記一方の壁面に対抗する他方の壁面に設けられた吸込口と、前記畜舎の内の前記換気扇と前記吸込口との間で、上方部分を塞ぎ、且つ下方部分を開放するように設置した、１つもしくは複数の半仕切り板と、下方部分の開放された面積を可変できるように前記半仕切り板を上下させる昇降部を設け、風速を間欠に送風することにより、所期の目的を達成するものである。
【発明の効果】
【００１３】
以上のように本発明は、最低換気量を維持するための換気扇と、家畜近傍の温度もしくは家畜の体温を下げるための送風機と設け、間欠送風することにより、家畜にとって有効な風速を得ることができ、急速に家畜の体温を下げることができる畜舎用換気送風システムを提供することができるものである。
【００１４】
すなわち、送風機を間欠送風することにより、酷暑であっても、鶏のストレス度合いが少なく、鶏の体温を効果的に下げることができ、飼育管理を向上させることができる。
【００１５】
また、畜舎内の温度が、所定の温度以上のときに、風速３ｍ／ｓを越える気流で間欠に送風することにより、特に急速に家畜の体温を下げることができる畜舎用換気送風システムを提供できるものである。
【００１６】
また、本発明は、畜舎内に設けた半仕切り板を上下させることにより、下方部分の開放面積を可変することで、送風機による送風速度が一定でも、鶏の上部付近の風速を可変することができ、鶏の体温を下げることができる畜舎用換気送風システムを提供することができるものである。
【００１７】
このように、夏季の酷暑であっても、鶏のストレス度合いが少なく、鶏の体温を効果的に下げることができ畜舎用換気送風システムを提供することができる。
【図面の簡単な説明】
【００１８】
【図１】本発明の実施の形態１の畜舎用換気送風機を示す概略図
【図２】本発明の実施の形態１のブロイラーの最適飼育温度を示す図
【図３】本発明の実施の形態１のブロイラーの風速による体感温度の低下温度を示す図
【図４】本発明の実施の形態１の畜舎内温度に対する畜舎内の対応風速を示す図
【図５】本発明の実施の形態１の１週間毎に測定した２０羽の平均体重を示す図
【図６】本発明の実施の形態２の畜舎用換気送風機を示す概略図
【図７】従来の畜舎用換気送風機を示す概略図
【発明を実施するための形態】
【００１９】
本発明の請求項１に係る畜舎用換気送風システムは、畜舎の一方の壁面に設けられ換気口を有する換気扇と、前記一方の壁面に対抗する他方の壁面に設けられた吸込口と、前記換気口および前記吸込口の最下部よりもさらに下方に設けられ、前記他方の壁面から前記一方の壁面に空気を導く送風機と、を備え、前記送風機の給気口及び排気口の下端を前記畜舎内の家畜の頭の高さと同一または頭の高さよりも高い位置に設け、前記送風機は間欠に送風することを特徴とするものである。
【００２０】
これにより、送風機を間欠送風することにより、酷暑であっても、鶏のストレス度合いが少なく、鶏の体温を効果的に下げることができ、飼育管理を向上させることができる。
【００２１】
また、前記送風機は、畜舎内の温度が、所定の温度以上のときに、風速３ｍ／ｓを越える気流で間欠に送風するようにしてもよい。
【００２２】
これにより、夏季の酷暑であっても、鶏のストレス度合いが少なく、鶏の体温を効果的に下げることができ畜舎用換気送風システムを提供することができる。
（実施の形態１）
以下、本発明の実施の形態について、図面を参照しながら説明する。
【００２３】
図１は、本発明に係る鶏用の畜舎用換気送風システムの構成を示す。
【００２４】
図１に示すように、畜舎用換気送風システムは、家畜（鶏（ブロイラー））２が飼育されている畜舎１の一方の壁面に、換気扇３が畜舎内の床面から１．５〜２ｍ程度の高さに複数台配設されおり、換気扇３が配設されている壁面と対向する反対側壁面（他方の壁面）に、吸込口４が床面から１．５〜２ｍ程度の高さに配設されている。換気扇３は、畜舎１内の空気を外部に排出するように動作している。したがって、換気扇３を動作すると、換気扇３は他方の壁面に設けられた吸込口４から外気を取り込み、畜舎１内をほぼ真直ぐに通風して、換気扇３によって畜舎外に排出されることにより、畜舎内が換気される。
【００２５】
さらに、畜舎用換気送風システムは、吸込口４の近傍で、床面から１５ｃｍ〜１ｍ程度の高さに設置された送風機５と、換気扇３の近傍で、床面から１５ｃｍ〜１ｍ程度の高さに設置された送風機６とを備えている。
【００２６】
吸込口４の近傍の送風機５は、送風機５より上方に配設されている畜舎１の吸込口４から空気を吸い込み、一方の壁面方向にある送風機６に向かって床面に対して水平に送風を行う。
【００２７】
換気扇３の近傍の送風機６は、他方の壁面方向にある送風機５から送風されてくる空気を吸い込み、送風機６より上方に配設されている畜舎１の換気扇３へ送風を行う。また、本実施の形態では、送風機５と送風機６の間に、送風の中継用として、送風機７を設置し、吸込口４の近傍の送風機５から送風された空気を、換気扇３の近傍の送風機６に向かって床面に対して水平に送風している。なお、中継用の送風機７は、適切な風量を維持できるように設置されていれば良く、複数個設置されていても良い。なお、送風機５乃至７のそれぞれは、同軸上に吸気口と排気口を備え、吸気口から吸気した空気を排気口から排出し、直線的な送風を行っている。
【００２８】
また、送風機５乃至７のそれぞれには、床面からの高さを調整できる高さ調整手段が設けられている。この高さ調整手段は、ジャッキ等の手動もしくは自動で上下できるものである。本実施の形態では、送風機５乃至７が設置される高さは、家畜の頭上の高さに合わせて設置されており、具体的には、成長した鶏の身長であれば、約３０ｃｍであるため、送風機の吸気口及び排気口の下端を、床面から３０ｃｍの高さもしくは、それよりも少し高い位置（例えば３１〜５０ｃｍ程度）に設定し、送風を行うように設定されている。なお、送風機５乃至７は、床面から３０ｃｍの高さにおいて、風速５ｍ／ｓを発生できる送風機である。
【００２９】
ここで、畜舎用換気送風システムの動作について説明する。
【００３０】
換気扇３を運転することで、吸込口４から外気が流入し、換気扇３から畜舎１内空気が排出され、換気される。基本的な換気量としては、飼育されている家畜の種類、成長度合いによって、最低必要な酸素濃度、もしくは二酸化炭素濃度の上限値が決まっており、その濃度を確保するための換気量から、必要な換気扇の種類と台数を選定し設置される。
【００３１】
さらに、吸込口４の近傍に配置された送風機５は、送風機５より上方に配設されている畜舎１の吸込口４から空気を吸い込み、一方の壁面方向にある送風機６に向かって床面に対して水平に送風を行う。また、送風機７は、吸込口４の近傍の送風機５から送風された空気を、換気扇３の近傍の送風機６に向かって床面に対して水平に送風している。また、換気扇３の近傍の送風機６は、他方の壁面方向にある送風機７から送風されてくる空気を、送風機６より上方に配設されている畜舎１の換気扇３へ送風を行う。
【００３２】
このような畜舎用換気送風システムは、換気扇３、吸込口４、送風機５乃至７、及び送風機に備えた風速と温度が測定できるセンサー９ａ〜ｃを集中的に管理制御する制御部１０を設けて、様々な状態を管理する。なお、制御部１０は、ＣＰＵ、メモリ記憶装置、ディスプレイ、及びキーボード等から構成されている。また、制御部１０は、図示しないが、無線接続または有線接続により、換気扇３、吸込口４、送風機５乃至７、各送風機に設けられている高さ調整手段８、及びセンサー９ａ〜ｃと接続されている。なお、制御部１０は、畜舎１以外の場所に設置されているものとする。
【００３３】
例えば、家畜が鶏（ブイロラー）である場合、生後１〜１４日令では、２６〜３２℃で気流が無い状態が最適であり、制御部１０は、送風機５乃至７を動作させず、吸込口４の開口量の自動調整し、複数の換気扇３のうちの一部の換気扇３のみを動作させる制御を指示することにより、畜舎１内の温度を２６〜３２℃に維持管理する。なお、吸込口４と一部の換気扇３だけの換気の場合、畜舎１の床面近辺には、ほとんど風が流れない。
【００３４】
また、１５〜３５日令では、１９〜２６℃で気流の風速は１ｍ／ｓ以上の状態が最適であり、制御部１０は、高さ調整手段８により、送風機５乃至７を鶏の日令の体型に対応させ、１５ｃｍ程度の高さに自動調整し、風速１ｍ／ｓ程度で動作するように制御を指示する。この場合には、送風機５乃至７にセンサー９ａ〜ｃを備え、そのセンサー情報に基づき、制御部１０により１５ｃｍ程度の高さにおいて１９〜２６℃になるように、吸込口４の開口量と、換気扇３の動作を制御する。
【００３５】
また、成長した鶏である３６日令〜出荷まで（約５０日令）は、１７〜１８℃で気流は風速１ｍ／ｓ以上の状態が最適であり、制御部１０は、高さ調整手段８により、送風機５乃至７を鶏の日令の体型に対応させ、３０ｃｍ程度の高さに自動調整し、風速１ｍ／ｓ程度で動作するように制御を指示する。この場合には、送風機５乃至７にセンサー９ａ〜ｃを備え、そのセンサー情報に基づき、制御部１０により３０ｃｍ程度の高さにおいて１７〜１８℃になるように、吸込口４の開口量と、換気扇３の動作を制御する。しかし、３６日令〜出荷まで（約５０日令）の成長した鶏は、暑さに弱いため、吸込口４の開口量と換気扇３の動作だけでは３０ｃｍ程度の高さにおいて１７〜１８℃にならない場合（例えば、夏季の暑い日）に、鶏の体感温度を下げるために、送風機５乃至７を風速３ｍ／ｓ程度で動作するように制御する。また、送風機５、送風機６、送風機７を個別に風量調整し、連動させるように制御してもよい。
【００３６】
また、成長した鶏である３６日令〜出荷まで（約５０日令）は、暑さに弱いため、急速に鶏の体感温度を下げる必要がある。前述した、送風機５乃至７を風速３ｍ／ｓ程度で動作しても温度が下がらない場合には、送風機５乃至７を風速３ｍ／ｓよりも速い風速、本実施の形態では風速４ｍ／ｓ程度で動作するように制御部１０から制御する。ただし、風速３ｍ／ｓを超える気流を成長した鶏に与えると、成長した鶏にストレスが発生することが一般的に知られているため、風速４ｍ／ｓ程度の風を常時発生させるのではなく、所定時間間隔で間欠送風を行う。この間欠送風制御は、風速４ｍ／ｓと送風停止とを繰り返す間欠送風制御や、風速４ｍ／ｓと風速３ｍ／ｓとを繰り返す間欠送風制御でもよい。また、成長した鶏のストレスの度合の情報を予め制御部１０内の記憶装置に記憶しておき、記憶装置に予め記憶されているストレスの度合の情報とセンサー９ａ〜ｃからの測定情報とを比較し、成長した鶏のストレス度合いを予測して間欠送風制御を行ってもよい。なお、制御部１０内の記憶装置に予め記憶されるストレスの度合の情報は、温度、湿度、気流の状態（風速）、それぞれに関連する時間、及びそれぞれの組み合わせにおける成長した鶏のストレス状態を対応表情報として記憶されているものとし、制御部１０から間欠送風制御を行っている。
【００３７】
成長した鶏のストレス度合いは、外部状況により変わるものであるが、本実施の形態では、例えば、風速４ｍ／ｓ程度で１分間、風速３ｍ／ｓ程度で２分間の送風を交互に繰り返す間欠送風制御を行うものとする。
【００３８】
さらに、成長した鶏に対しては、畜舎１内温度が適温であれば、酸素、二酸化炭素、アンモニアなどの臭気を含め、最適な空気環境を得るために、換気回数３０回／ｈを行う必要があり、この場合、一般的な鶏用の畜舎で必要な最低換気量は、６７５ｍ3／ｍｉｎであるため、一般的な換気扇を２台程度分の風量を生成するだけの換気扇３を動作するように制御部１０から制御する。
【００３９】
次に、具体的な畜舎内温度に対する送風機の制御方法の一例を示す。
【００４０】
図２は、鶏（ブロイラー）を飼育するために、２２日令以降の日令毎の最適飼育温度を示している。図３は、風速による体感温度の低下温度の一例を示している。図４は、鶏が２２日令時の畜舎内温度に対する畜舎内の対応風速の関係の一例を示している。
【００４１】
図２に示す通り、鶏は成長するに従い、最適温度が低くなっているが、夏季の暑い日は、最適飼育温度よりも外気温度が高くなり、その場合、送風によって、鶏の体感温度を下げる必要がある。
【００４２】
図３に、風速による体感温度の低下温度の一例を示している。体感温度は、湿度と風速の組み合わせによって異なる。図３では、湿度５０％且つ風速０ｍ／ｓ時の畜舎内温度を体感温度の基準とした場合、湿度８０％時に風速に対する畜舎内温度の体感として感じる温度を示している。例えば、湿度８０％且つ風速０ｍ／ｓ時は、前述の基準である湿度５０％且つ風速０ｍ／ｓ時と比較すると体感温度は３．９℃高く、湿度８０％且つ風速３ｍ／ｓ時は、前述の基準より６．９℃低い温度と感じることを示している。
【００４３】
鶏が２２日令時の制御方法の一例を図４に基づいて説明すると、湿度８０％で、畜舎内温度が、２９．９℃時には、制御部１０は、センサー９ａ〜ｃからの情報で畜舎内温度が２９．９℃であることを検知し、図４の畜舎内温度に対する畜舎内の対応風速の関係に基づき、送風機５乃至７の風速を２．５ｍ／ｓにしている。つまり、図３に示す体感温度の低下温度の一例に基づくと、風速２．５ｍ／ｓにすることにより、鶏の体感温度が−５．９℃となり、実質２４℃となる。即ち、図２の最適飼育温度に示す通り、２２日令の鶏に対して２４℃で飼育できることになる。
【００４４】
その後、畜舎内温度が、３０．８℃まで上昇すると、制御部１０は、センサー９ａ〜ｃからの情報で畜舎内温度が３０．８℃であることを検知し、図４の畜舎内温度に対する畜舎内の対応風速の関係に基づき、送風機５乃至７の風速を３．０ｍ／ｓにしている。つまり、図３に示す体感温度の低下温度の一例に基づくと、風速３．０ｍ／ｓにすることにより、鶏の体感温度が−６．９℃となり、実質２３．９℃となる。即ち、図２の最適飼育温度に示す通り、２２日令の鶏に対して、ほぼ２４℃で飼育できることになる。
【００４５】
さらにその後、畜舎内温度が、２９．８℃まで低下すると、制御部１０は、センサー９ａ〜ｃからの情報で畜舎内温度が２９．８℃であることを検知し、図４の畜舎内温度に対する畜舎内の対応風速の関係に基づき、送風機５乃至７の風速を２．５ｍ／ｓにしている。つまり、図３に示す体感温度の低下温度の一例に基づくと、風速２．５ｍ／ｓにすることにより、鶏の体感温度が−５．９℃となり、実質２４℃となる。即ち、図２の最適飼育温度に示す通り、２２日令の鶏に対して、２４℃で飼育できることになり、常にブロイラーの体感温度を図２に示す最適飼育温度で飼育できるように制御している。
【００４６】
しかしながら、通常の畜舎では、風速３ｍ／ｓ以上の風速を与えると、前述した通り鶏がストレスを感じると言われているが、畜舎内温度が３０．８℃以上に上昇した場合、畜舎内の風速は３．０ｍ／ｓとしている。
【００４７】
しかし、本発明の実施の形態では、畜舎内温度が３２．０℃まで上昇すると、制御部１０は、センサー９ａ〜ｃからの情報で畜舎内温度が３２．０℃であることを検知し、図４の畜舎内温度に対する畜舎内の対応風速の関係に基づき、送風機５乃至７の風速を３．０〜４．０ｍ／ｓの間欠風速にしている。これにより、鶏へのストレスを低減しつつ、より強い風速を与えることで、暑さ対策が可能になる。
【００４８】
具体的な間欠送風制御としては、畜舎内温度が３２．０℃以上のときは、風速３．０ｍ／ｓを３分間送風したのち、風速４．０ｍ／ｓを３分間送風し、また風速３．０ｍ／ｓを３分間送風することを繰り返し行い、畜舎内温度が３０．８℃に下がったときに、通常の３．０ｍ／ｓの風速を連続に送風するといった制御を行なう。
【００４９】
この間欠送風制御は鶏へのストレスを与えないことについての実証実験を行なった。  畜舎（４．６ｍ×３．７ｍ×高さ２．４ｍ）を２つ用意し、その畜舎内に、それぞれ飼育エリア（２．６ｍ×２．６ｍ）を設け、それぞれ鶏を１００羽飼育した。なお、鶏は２１日令までは、別の畜舎で雛から飼育されていたもので、２２日令に、それぞれの畜舎の平均体重同じ（約７５０ｇ）になるように１００羽ずつ振り分けし、それぞれの畜舎の鶏から、７５０ｇに近い鶏を各２０羽を抽出し、２０羽の平均の体重を測定した。
【００５０】
前述の一方の鶏舎では、壁面に設置した換気扇３のみを用い、一般的な風速の与え方である３ｍ／ｓまでの通常の風速制御で飼育した。
【００５１】
また、他方の畜舎は、図１と同様に壁面に設置した換気扇３と、更に畜舎内に、床面から３０〜５０ｃｍ程度の高さに調整できる送風機５〜７を設置した。他方の畜舎は、前述したように、畜舎内温度が３２．０℃以上になったときに、送風機９ａ〜９ｃを運転させ、風速３．０ｍ／ｓと風速４．０ｍ／ｓを交互に間欠送風制御を行なった。
【００５２】
それぞれの環境で飼育した鶏を１週間毎に２０羽の平均体重を測定した結果を図５に示す。その結果、畜舎内温度が３２．０℃以上になったときに、送風機５〜７を運転させ、風速３．０ｍ／ｓと風速４．０ｍ／ｓを交互に間欠送風制御を行なった他方の畜舎の方が、４９日令時点で体重の増加が大きかった。つまり、風速３．０ｍ／ｓと風速４．０ｍ／ｓを交互に間欠送風制御を行なった鶏は大きなストレスを受けていなかったと判断できる。  以上に本実施の形態を説明したが、本実施の形態に限るものではなく、送風機５乃至７を、図示していないが、畜舎１の壁の幅方向（図１における奥行き方向）に複数台設置して、畜舎１の敷地面積において一様に均一な気流を得るようにすることが望ましい。
【００５３】
また、実施の形態では、送風機５より上方に配設されている畜舎１の吸込口４から空気を吸い込み、送風機６より上方に配設されている畜舎１の換気扇３へ送風を行う構成としているが、送風機５及び６を直接、畜舎１の壁面に設置し、直接外気を吸い込み、直接畜舎１の外に排気するようにしても良い。
【００５４】
また、送風機５と送風機６の間に送風機７を設けているが、畜舎１の壁と壁の距離が短い場合は、送風機７は不要であり、距離が長い場合や送風機の性能によっては、更に送風機７を複数台設けても良い。
【００５５】
また、本実施の形態では家畜を鶏として説明したが、家畜の種類としては複数あり、鶏以外の豚や牛もそれぞれの頭上の高さに送風機を設置することで同様の効果を奏することができる。
（実施の形態２）
以下、本発明の実施の形態２について、図面を参照しながら説明する。
【００５６】
図６は、本発明に係る鶏用の畜舎用換気送風システムの構成を示す。なお、実施の形態１と同様の記号が付されているものは、実施の形態１で開示した同様の機能を有しており、詳細説明は省く。
【００５７】
図６に示すように、畜舎用換気送風システムは、家畜（鶏（ブロイラー））２が飼育されている畜舎１の一方の壁面に、換気扇３が畜舎内の床面から１．５〜２ｍ程度の高さに複数台配設されおり、複数の換気扇３が配設されている壁面と対向する反対側壁面（他方の壁面）に、吸込口４が床面から１．５〜２ｍ程度の高さに配設されている。換気扇３は、畜舎１内の空気を外部に排出するように動作している。したがって、換気扇３を動作すると、換気扇３は他方の壁面に設けられた吸込口４から外気を取り込み、畜舎１内をほぼ真直ぐに通風して、換気扇３によって畜舎外に排出されることにより、畜舎内が換気される。
【００５８】
さらに、畜舎１内に天井部から半仕切り板１１が複数設置されている。この仕切り板１１により、畜舎内の上方部分は塞がれ、下方部分は開放される状態となっている。半仕切り板１１は、制御部１０からの指示に従い、上下動作できる構成（昇降部）になっており、特に上下動作させる機構については限定しないが、油圧による上下動作や、紐による上下動作などが考えられる。なお、仕切り板１１は常時畜舎内に出ている必要はなく、必要に応じて、畜舎内に出てくるようにしてもよい。
【００５９】
この半仕切り板１１は、通常は、床面から２ｍ以上は開口するように設置されており、飼育の作業に支障ないように設置され、換気扇３で風速３ｍ／ｓで送風できるように制御部１０から制御している。
【００６０】
ここで、畜舎内温度が設定値以上になった場合（実施の形態１で示した温度では、３２．０℃）は、半仕切り板１１を下げることで、畜舎内に流れる風速を上げるように制御部１０から制御する。一般的に、風速が一定で、送風路の面積を狭くすると風速が上がることは知られている。本実施の形態おいて具体的には、半仕切り板１１は、ロール状カーテンなどでできており、紐を用いてロールを回転させることで、ロール状カーテンの下部を床面方向に下げることができる。なお、半仕切り板１１の下部を床面からどの高さまで下げると、風速が数ｍ／ｓになるかを制御部１０内に予め記憶してあるものとする。例えば、換気扇３で風速３ｍ／ｓを送風している状態で、半仕切り板１１の下部を床面から８０ｃｍにした場合には、風速３ｍ／ｓを発生し、半仕切り板１１の下部を床面から５０ｃｍにした場合には、風速４ｍ／ｓを発生する。
【００６１】
つまり、畜舎内温度が設定値以上になった場合、半仕切り板１１の下部を一定時間間隔で、床面から８０ｃｍ、床面から５０ｃｍにすることにより、一定時間間隔で畜舎内の風速を風速３ｍ／ｓ、風速４ｍ／ｓの間欠送風を行うことができる。これにより、畜舎内温度と鶏の体感温度とを最適飼育温度に合致させることができる。
【００６２】
なお、半仕切り板１１の設置数は、畜舎内の全面積で、上記風速を満たすことができる数だけ設置するものとし、本実施の形態では２つ設置しているものとする。
【００６３】
なお、畜舎内温度を測定するために、センサー９ａ〜ｃを半仕切り板１１の下部に設置したり、換気扇３の近傍に設置してもよく、畜舎内温度を定期的に計測して、温度情報を制御部１０に供給している。
【００６４】
以上に本実施の形態を説明したが、本実施の形態に限るものではなく、半仕切り板に限らず、畜舎内を送風する断面積を変化させ、一定間隔でその断面積を大きくしたり小さくしたりできる構成であれば良い。また、３ｍ／ｓ以上のときに半仕切り板を上下させる制御方法としているが、３ｍ／ｓ以下の一定風速で送風した場合でも、同様の効果を奏することは云うまでもない。
【００６５】
また、壁面に設置した換気扇のみで０〜４ｍ／ｓの風速を制御しようとすると、換気扇の大きさ、および台数が非常に多くなるが、半仕切り板を上下させることにより風速を制御できるため、小さいサイズの換気扇を設置したり、換気扇を少ない台数にしたりすることができ、畜舎の設備投資費用を抑えることができる。更には、畜舎の設置できる壁の面積には限りがあるため非常に有効である。
【００６６】
また、仕切り板の下部の形状を床面の状況に適した形状にすることで、より均一の風速を発生させることができる。
【産業上の利用可能性】
【００６７】
以上のように本発明にかかる畜舎用換気送風システムは、送風機を間欠送風することにより、酷暑であっても、鶏のストレス度合いが少なく、鶏の体温を効果的に下げることができ、飼育管理を向上させることができるので、畜舎用換気送風システムとして有用である。
【符号の説明】
【００６８】
１    畜舎
２    家畜
３    換気扇
４    吸込口
５    送風機
６    送風機
７    送風機
８    高さ調整手段
９ａ，９ｂ，９ｃ    センサー
１０    制御部
１１    半仕切り板
【図１】
2017181013.tif 000003
【図２】
2017181013.tif 000004
【図３】
2017181013.tif 000005
【図４】
2017181013.tif 000006
【図５】
2017181013.tif 000007
【図６】
2017181013.tif 000008
【図７】
2017181013.tif 000009